(57)【要約】【目的】優れた注目効果と視認性を備えながら、装飾過剰な印象や目障りな感じを与えることのない表示装置を提供する。【構成】発光素子を配設して主表示部を構成し、この主表示部の周囲に複数の発光素子を配した装飾発光部を設ける。装飾発光部の一部の発光素子について、その発光機能の有無を切り替え可能にし、発光機能無しに切り替えることで一部の発光素子を常に消灯した状態で装飾発光する。また、単一の発光色で表示を行う単色表示部と、複数の発光色で表示を行う多色表示部とで１つの表示画面を構成し、その周囲に装飾発光部を設ける。装飾発光部の一部の発光素子について発光機能の有無を切り替え可能とし、表示画面を部分的に複数色でカラー表示する場合などにそのカラー表示部分の周囲に配置した装飾用発光素子を消灯して視認性を優先する。【選択図】  図１
2004177855.tif 000002
【特許請求の範囲】
【請求項１】
プリント基板上に複数配設した発光素子を点滅駆動することで文字や絵記号等を発光表示する表示装置において、
複数の発光素子を所定形状あるいはドットマトリクス状に配設してなり、伝達情報として固定の表示パターンあるいは任意の表示パターンを発光表示する主表示部と、
主表示部の周囲に発光素子を複数配設してなり、所定の態様で点滅発光を行う装飾発光部とを備え、
装飾発光部に複数配設する発光素子のうち、一部の発光素子の発光機能の有無を切り替え可能にしたことを特徴とする表示装置。
【請求項２】
プリント基板上に複数配列した発光素子を点滅駆動することで文字や絵記号等を発光表示する表示装置において、
同発光色の発光素子をドットマトリクス状に配設してなり単一の発光色で表示を行う単色表示部と、
異なる発光色の発光素子を複数種類配設してなり、前記単色表示部の発光色を含む複数の発光色で表示を行う多色表示部と、
前記単色表示部および多色表示部の周囲に発光素子を複数配設してなり、所定の態様で点滅発光を行う装飾発光部とを備え、
装飾発光部に複数配設する発光素子のうち、一部の発光素子の発光機能の有無を切り替え可能にしたことを特徴とする表示装置。
【請求項３】
請求項１または２記載の表示装置において、装飾発光部に複数配設される個々の発光素子について発光機能の有無を切り替え可能にしたことを特徴とする表示装置。
【発明の詳細な説明】
【０００１】
【産業上の利用分野】
本発明は、表示させたい文字や図形の形状に合わせて発光素子を配置し、所定の表示内容を固定的に表示したり、あるいは、ドットマトリクス状に配列した発光素子を選択的に発光させることで任意の文字、図形、記号、模様等を表示する装置に関する。
【０００２】
【従来の技術】
従来、ＬＥＤ等の発光素子をプリント基板上にマトリクス配列し、発光素子を選択的に発光駆動することで任意の文字・記号等（以降キャラクタと呼ぶ）からなる表示コンテンツを表示画面上に移動させながら表示する装置が知られている。また、「営業中」等の文字を形成するように発光素子を配置し、特定の集客メッセージを固定的に表示する装置も知られている。このような表示装置には幾つかの機能が求められるが、中でも注目効果を求める声が多く、そのため、表示コンテンツや集客メッセージを表示する主表示部の周囲に各種の表示態様で点滅発光を行う装飾発光部を設け、通行人の注意を引くようにした装置が現在の主流になっている。最近の傾向として、青色ＬＥＤ、白色ＬＥＤ、純緑ＬＥＤの急速な普及を受け、装飾発光部に配置するＬＥＤの数が増え、また多色化している。
【０００３】
【発明が解決しようとする課題】
このように、ＬＥＤを用いた表示装置が従来の赤、緑、青、３色表示タイプからマルチカラータイプに移行しつつあり、装置全体としての注目効果が向上しているのであるが、時として装飾発光が部分的に邪魔に感じられるケースが発生してきた。主表示部にマークや記号を表示したり、簡単なアニメーションを表示する場合などに、その表示位置の近くに位置する装飾ＬＥＤが目立ち過ぎ、却って視認性を妨げる方向に作用したり、目障りな印象を与えてしまうのである。
【０００４】
本発明はこのような問題に対処して成されたものであり、その課題とするところは、優れた注目効果と視認性を備えながら、装飾過剰な印象や目障りな感じを与えることのない表示装置が提供できないかという点にある。
【０００５】
【課題を解決するための手段】
上記の課題を解決するために、本発明は、プリント基板上に複数配設した発光素子を点滅駆動することで文字や絵記号等を発光表示する表示装置において、複数の発光素子を所定形状あるいはドットマトリクス状に配設してなり、伝達情報として固定の表示パターンあるいは任意の表示パターンを発光表示する主表示部と、主表示部の周囲に発光素子を複数配設してなり、所定の態様で点滅発光を行う装飾発光部とを備え、装飾発光部に複数配設する発光素子のうち、一部の発光素子の発光機能の有無を切り替え可能にしたことを特徴とする表示装置を提案する。
【０００６】
また、プリント基板上に複数配列した発光素子を点滅駆動することで文字や絵記号等を発光表示する表示装置において、同発光色の発光素子をドットマトリクス状に配設してなり単一の発光色で表示を行う単色表示部と、異なる発光色の発光素子を複数種類配設してなり、前記単色表示部の発光色を含む複数の発光色で表示を行う多色表示部と、前記単色表示部および多色表示部の周囲に発光素子を複数配設してなり、所定の態様で点滅発光を行う装飾発光部とを備え、装飾発光部に複数配設する発光素子のうち、一部の発光素子の発光機能の有無を切り替え可能にしたことを特徴とする表示装置を提案する。
【０００７】
なお、上記提案の表示装置は装飾発光部に複数配設される個々の発光素子について発光機能の有無を切り替え可能にすることがより望ましい。
【０００８】
【作用】
上記提案によれば、発光素子を表示させたい文字や図形の形状に配置したり、あるいはドットマトリクス状に配列して主表示部を構成し、この主表示部の周囲に複数の発光素子を配して装飾発光部を構成する。そして、装飾発光部を成す複数の発光素子のうち一部の発光素子について、その発光機能の有無を切り替え可能にする。発光機能無しに切り替えることで一部の発光素子が常に非通電の状態となり、一部の発光素子が消灯した状態で装飾点滅動作が行われる。
【０００９】
同色の発光素子をマトリクス状に配列して単一の発光色で表示を行う単色表示部と、異なる色の発光素子をマトリクス状に配列し複数の発光色で表示を行う多色表示部とを備え、これら単色表示部および多色表示部の周囲に複数の発光素子を配して装飾発光部を構成する。多色表示部で表示可能な発光色には単色表示部の発光色が含まれており、単色表示部の発光素子と、多色表示部に配列した複数種類の発光素子のうち単色表示部と同じ色の発光素子とを発光駆動することで両表示部が単色で表示される。多色表示部で複数色の発光素子を発光駆動すると共に単色表示部を駆動すれば、表示画面の一部が複数の発光色で表示され残りの部分が単色で表示される。そして、装飾発光部の発光素子のうちの一部について発光機能の有無を切り替え可能とし、表示画面を部分的に複数色でカラー表示する場合などにそのカラー表示部分の周囲に配置した装飾用発光素子を消灯して視認性を優先する。
【００１０】
また、装飾発光部に複数配設される個々の発光素子について個別に発光機能の有無を切り替え可能にすることにより、表示画面の周囲の任意の箇所を装飾発光させることができる。
【００１１】
【実施例】
以下、図面を基に本発明の実施例について説明する。図１は本発明実施例に関わる表示装置の構成を示すブロック図である。１は表示部で、プリント基板上に橙色ＬＥＤ、緑色ＬＥＤ、青色ＬＥＤをそれぞれマトリクス状に配列した多色表示部１ａと、橙色ＬＥＤだけをマトリクス状に配列した単色表示部１ｂと、これらの周囲を取り囲むように異なる発光色のＬＥＤを適宜組み合わせて配置した装飾発光部１ｃとから構成されている。本実施例では、１文字相当の多色表示部と３文字相当の単色表示部とを縦方向に連続的に並べて表示画面を構成し、全角サイズの文字を同時に最大で４文字表示可能にしている。装飾発光部１ｃは発光色の異なるＬＥＤが適宜間隔で配置されて成るもので、本実施例では赤・白・緑・青の各色ＬＥＤが配置されている。２は単色駆動回路で、シフトレジスタ回路およびトランジスタアレイ回路等からなり、後述するＣＰＵより表示制御データを受けて多色表示部１ａの中の橙色ＬＥＤと単色表示部１ｂに配列された橙色ＬＥＤとをダイナミック点灯駆動し、マトリクス上にキャラクタ・画像・アニメーションといった表示パターンを橙色単色で発光表示する。３はアイコン駆動回路で、ＣＰＵからの表示制御データを受けて多色表示部１ａに配列された橙色ＬＥＤ、緑色ＬＥＤ、青色ＬＥＤをダイナミック点灯駆動し、マトリクス上にアニメーション動作を伴うアイコンやキャラクタ等をカラー発光表示する。なお、ここでいうアイコンとは、広告主体の業種や営業内容等を一目で直感的にイメージさせるようにしたシンボルマークや図柄を指す。４は装飾駆動回路で、装飾発光部１ｃに配置された各色のＬＥＤを発光色や点滅タイミングを組み合わせて点灯駆動し、所定の発光態様で装飾発光を行う。５はＣＰＵで、記憶部６で記憶するプログラムやデータに従い表示処理手順をこなす。７はＶＲＡＭで、記憶部６から読み出した各種データのうちの表示コンテンツデータとアイコンデータと装飾データとを記憶領域にビット情報として展開し、単色駆動回路２、アイコン駆動回路３、装飾駆動回路４にＬＥＤ駆動信号を出力する。表示コンテンツデータとは表示画面に表示する表示パターンを表すデータであり、メッセージを表現するキャラクタデータの並びや、静止画・アニメーション等を表現するビットマップ形式のドットパターンデータである。８はリアルタイムクロックＩＣで、ＣＰＵから任意のタイミングで要求を受け、要求を受けた時点の時刻と年・日付・曜日を出力する。９は赤外線リモコンで、リモコン受光部９ａ、リモコンインターフェース９ｂを介して表示コンテンツを簡易的に作成、変更したり、システム設定等を含む各種設定を行うことができる。
【００１２】
記憶部６は複数のメモリから構成されている。具体的には、表示装置全体の動きに関する動作プログラムが記憶されたＲＯＭ６ａと、コードに置きかえられたキャラクタがドットパターンで記憶されるフォントＲＯＭ６ｂと、表示コンテンツが複数記憶される表示コンテンツデータ記憶部６ｃと、多色表示部１ａに表示するアイコンがドットパターンで記憶されるアイコンデータ記憶部６ｄと、装飾発光部１ｃに配置した各色ＬＥＤについて、それぞれどのようなタイミングで発光させるのか一連のまとまった動きや色の組み合わせを記憶する装飾データ記憶部６ｅと、表示コンテンツの表示タイミングを与える表示スケジュールデータや表示装置に関する各種データを記憶するデータ記憶部６ｆとからなっている。
【００１３】
表示コンテンツデータ記憶部６ｃに記憶される各表示コンテンツは、キャラクタデータの配列やドットパターンデータで構成されており、一括りで扱うデータごとに識別コードが付与され、この識別コードと対応付けて記憶される。例えば、表示画面に「いらっしゃいませ」と流動表示したのちにお辞儀の仕草をアニメーションで表示する組み合わせを常にセットで表示する場合、「いらっしゃいませ」と「お辞儀アニメーション」との組み合わせを１つのコンテンツとして識別コード（チャンネル番号）００１を与えるのである。また識別コードの他にも、コンテンツをどのような態様で表示するのかを決める表示モード情報と、コンテンツを表示する際の多色表示部におけるアイコン表示の有無とアイコンの種類を指定するアイコンデータ情報とが付与される。
【００１４】
アイコンデータ記憶部６ｄには、複数枚の静止画から成るアイコンデータを複数種類記憶させることが可能である。具体的には、最大５００種類のアイコンデータを記憶させることができ、１種類のアイコンデータには多色表示部１ｂのドットマトリクスに相当するドットパターンを最大１０枚登録させることができる。１０枚のドットパターンは１枚毎に静止時間を設定可能で、適宜静止時間で異なるパターンを次々と切り替え表示することによりアニメーション表示が行われ、１つの同じパターンを連続表示させると静止したアイコンとして表示される。なお、アイコンデータも表示コンテンツと同様に識別コードが付与されるものであり、最大１０枚登録可能な一括りのドットパターンごとにアイコン識別コードが与えられ、アイコンデータはこのアイコン識別コードによって管理される。前述の表示コンテンツに付与されるアイコンデータ情報はこのアイコン識別コードの有無であり、識別コードが含まれている場合はアイコン表示を行うことを意味し、表示コンテンツを実際に表示処理する際にアイコンデータ記憶部より識別コードに対応するドットパターンを展開するのである。
【００１５】
装飾データ記憶部６ｅに記憶される装飾データは、まとまった一連の動きを１つの単位として識別コードが付与され、この識別コードと対応付けて記憶される。例えば、一連の表示動作が「装飾発光部１ｃに配置されたＬＥＤを８の字を描くように順に点灯していき、全てのＬＥＤを点灯したら今度は順に消灯していく」といったものであれば、この連続した動きに対して１つの識別コードを与える。本実施例では、標準的な動作を持つ装飾データを予め複数パターン記憶しており、前記リモコン９を操作することにより、装飾発光パターンとして採用するか否かを切り替えることができる。
【００１６】
次に図２を基に表示画面の構成についてさらに詳しく説明する。表示画面の一段目に位置する多色表示部１ａには、橙色ＬＥＤ１ａ−１が縦１６個×横１６個マトリクス状に配列されており、同時に、この橙色ＬＥＤによる１６×１６ドットのマトリクスは、橙色ＬＥＤ・緑色ＬＥＤ（１ａ−２）・青色ＬＥＤ（１ａ−３）が集合してなる単位ドットによる８×８ドットのマトリクスを兼ねるように配列されている。すなわち、「橙色ＬＥＤ・緑色ＬＥＤ・青色ＬＥＤで構成される単位ドット」と「橙色ＬＥＤのみによる単位ドット」とを交互に配置することにより、橙色ＬＥＤによる１６×１６ドットのマトリクス中に橙色ＬＥＤ・緑色ＬＥＤ・青色ＬＥＤの集合からなる単位ドットが８×８ドットのマトリクスで形成されるようにしているのである。前記アイコン駆動回路３は、この橙色ＬＥＤ・緑色ＬＥＤ・青色ＬＥＤによる８×８ドットのマトリクスを発光駆動するものであり、表示コンテンツデータに付与されているアイコンデータ情報に応じてアイコンデータ記憶部６ｄからドットパターンを読み出し、８×８＝６４個の単位ドットをダイナミック発光駆動する。なお、アイコン駆動回路は橙色ＬＥＤ・緑色ＬＥＤ・青色ＬＥＤを２階調で発光駆動しており、３色のＬＥＤによる点灯／消灯の組み合わせでカラー表現を行っている。したがって、最大８色の表示が可能である。
【００１７】
表示部の２〜４段目を構成する単色表示部１ｂには、橙色ＬＥＤ１ｂ−１が各段それぞれ縦横１６×１６ドットでマトリクス状に配列され、単色駆動回路２に接続されている。この単色駆動回路２は、多色表示部１ａの橙色ＬＥＤ１ａ−１によるマトリクスにも接続されており、表示部全体を単色で表示する場合に１段目の多色表示部から４段目の単色表示部に配列された橙色ＬＥＤを縦６４×横１６ドットのマトリクスとして発光駆動する。この状態は、「アイコン表示無し」のアイコンデータ情報が付与された表示コンテンツを表示する状態であり、このとき表示画面には全角サイズの文字が同時に４文字表示可能となる。「アイコン表示有り」のアイコンデータ情報が付与された表示コンテンツを表示する場合は、多色表示部１ａはアイコン駆動回路３により発光駆動され、８×８ドットのカラー表示マトリクス上にアイコンデータ記憶部６ｄから読み出したアイコンデータを発光表示する。このとき、単色駆動回路２による単色駆動の対象は表示部の２〜４段目を構成する単色表示部１ｂとなる。すなわち表示画面の１段目にアイコンがカラー表示され、２〜４段目に形成される縦４８×横１６ドットの単色表示マトリクス上に表示コンテンツが表示される。このとき表示画面に同時に表示できる文字数は３文字となる。
【００１８】
次に、図３を基に装飾発光部の構成についてさらに詳しく説明する。表示画面の周囲を囲んで設けられる装飾発光部１ｃには、複数のＬＥＤで構成される発光群１ｃ−１から１ｃ−１４が適宜間隔で配設されている。四隅に位置する発光群１ｃ−１，１ｃ−６，１ｃ−８，１ｃ−１３は白色ＬＥＤ２個と赤色ＬＥＤ１個で構成され、上辺と下辺のそれぞれ中心に位置する発光群１ｃ−１４，１ｃ−７は青色ＬＥＤ１個と緑色ＬＥＤ１個で構成される。縦長形状の右辺には上から順に、白色ＬＥＤ１個と赤色ＬＥＤ１個で構成される発光群１ｃ−２、赤色ＬＥＤ１個と青色ＬＥＤ１個で構成される発光群１ｃ−３、緑色ＬＥＤ１個と赤色ＬＥＤで構成される発光群１ｃ−４、赤色ＬＥＤ１個と白色ＬＥＤ１個で構成される１ｃ−５が配置される。同じく左辺には発光群１ｃ−１２，１ｃ−１１，１ｃ−１０，１ｃ−９が上から順に設けられ、各発光群には右辺と左右対称に各色のＬＥＤが配置されている。このように設けられた発光群は装飾駆動回路４に接続され、それぞれの発光群をひとつの単位ドットとして点灯駆動する。
【００１９】
装飾発光部１ｃを構成する発光群１ｃ−１から１ｃ−１４は、通常、全ての発光群が発光駆動可能な「発光機能  有り」の状態にあり、前記装飾データ記憶部６ｅに記憶した装飾データに基づき、１４箇所に配置される全ての発光群を用いて装飾発光が行われる。本発明は、この標準的な使用状態と、装飾発光を抑えて表示画面の視認性を優先する使用状態とを切り替えることが出来る。表示画面の視認性を優先したい場合は、発光群１ｃ−１から１ｃ−１４のうちの一部の発光群を発光駆動しないようにする「発光機能  無し」の状態に切り替え、装飾データ記憶部６ｅの記憶内容に基づいて装飾発光を行う際に、一部の発光群を常に消灯したままにする。本実施例では、表示画面の視認性を優先する場合は発光群１ｃ−１４および１ｃ−７を発光駆動しないようにしている。表示画面を囲むように配置される発光群の中でも、発光群１ｃ−１４は多色表示部１ａと接する位置にあり、この発光群１ｃ−１４を常時消灯することにより、カラーでアイコン表示を行う際に装飾発光とアイコン表示とが混ざり合って視認性に悪影響を与えるということがなくなる。また、装飾発光の動きとアイコン表示の動きとの相乗作用により、目立ち過ぎて目障りな印象を与えるということもなくなる。
【００２０】
次に、装飾発光部１ｃの発光群に対する「発光機能  有り」と「発光機能  無し」との切り替え操作について図４を基に説明する。図４はリモコン操作の流れを示した説明図である。
表示部１で通常の表示動作が行われている状態において、リモコン９をリモコン受光部９ａに向け、機能キー（図示しない）を押すとメニュー画面が表示される（ａ）。このメニュー画面（ａ）では各種設定項目を選択できるようになっており、最初に表示される画面にある「カザリ  キリカエ」を選択することで、装飾発光部１ｃの一部発光群に対する「発光機能  有り」「発光機能  無し」を切り替えることが出来る。方向キー（図示しない）を操作して画面上の反転カーソルを「カザリ  キリカエ」に合わせ、決定キー（図示しない）を押すと発光群１ｃ−１４および１ｃ−７についての発光機能設定画面（ｂ）が現れる。この画面でリモコン９の○／×キー（図示しない）を操作すると、画面が「オン  ○」と「オフ  ×」を交互に表示するので、「発光機能  有り」にする場合は「オン  ○」、「発光機能  無し」にする場合は「オフ  ×」を表示させ（ｃ）、リモコンの決定キー（図示しない）を押す。これにより画面は通常の表示画面に戻り、図示の例では装飾発光部１ｃの発光群１ｃ−１４および１ｃ−７が常時消灯した状態で装飾発光が行われる。
【００２１】
次に、図５を基にして本発明の別実施例を説明する。この実施例は装飾発光部１ｃの発光群について、個別に発光機能有り／無しを設定するようにしたものである。
通常の表示動作が行われている状態において、リモコン９をリモコン受光部９ａに向け、機能キーを押すとメニュー画面が表示される（ア）。方向キーを操作してメニュー画面にある「カザリ  キリカエ」を選び、決定キーを押すと、画面には装飾発光部１ｃを構成する発光群を模したイメージの入力枠が表示される（イ）。リモコンの方向キーを押すと、発光群に対応する入力枠の上をカーソルが移動するので、発光機能を切り替えたい位置に移動させ、○／×キーを操作して「発光機能  有り」「発光機能  無し」を設定する（ウ）。図示の例では塗りつぶした入力枠が「発光機能  有り」を表し、白抜きの入力枠が「発光機能  無し」を表している。もし多色表示部１ａと接する位置にある３つの発光群１ｃ−１３、１ｃ−１４、１ｃ−１の発光機能を無しに設定したい場合は、（ウ）のように入力し決定キーを押す。これにより画面は通常の表示画面に戻り、アイコンの周囲にある装飾発光群が全て消灯した状態で装飾発光が行われる。
なお、この別実施例では、上記（ア）のメニュー画面から「カザリ  キリカエ」を選択したとき、画面が（イ）に切り替わって装飾発光部１ｃの発光群を模したイメージの入力枠を表示するようにしているが、装飾発光部１ｃの発光群に対して直接「発光機能  有り」「発光機能  無し」を設定するようにしても良い。画面（イ）ではカーソルを移動させて１４箇所の入力枠に○／×キーを操作しているが、そのカーソルに相当する入力位置を装飾発光部１ｃの発光群に移し直接○／×キーで設定するのである。この方式によれば、発光群が実際に発光した様子を確認しながら設定を行うことができる。
【００２２】
本発明は以上のように構成されるものであるが、上記実施例に限定されることなく、特許請求の範囲を逸脱しない範囲で種々の実施が可能である。例えば、本実施例では縦方向へ同時に４文字表示可能な縦長タイプの装置について説明したが、表示部の構成は横長タイプでも良いし、複数行あるいは複数列にわたって表示するタイプでも良い。また、発光素子をマトリクス状に配列して任意のパターンを表示するタイプの装置ではなく、「営業中」等の文字を形成するように発光素子を配置し、特定の集客メッセージを固定的に表示するタイプの装置にも実施することができる。また、本実施例では縦方向に４文字表示可能な表示部の最上段に位置する１文字分を多色表示部、残る３文字分を単色表示部として構成したが、他の構成でも実施可能である。例えば、横方向に６文字表示可能な表示部の左右両端を多色表示部とし、この多色表示部で挟むように４文字分を単色表示部とするような組み合わせも可能である。また、多色表示部、単色表示部、装飾発光部に配置するＬＥＤの発光色も種々の組み合わせで実施することが可能である。
【００２３】
【発明の効果】
以上のように本発明によれば、装飾発光部を構成する複数の発光素子のうちの一部について、発光機能の有無を切り替えることができる。したがって、表示画面の大きさに対して装飾発光部の占める割合が大きいと感じたり、装飾発光する発光素子の数が多すぎると感じる場合に一部の発光素子を常時消灯させて落ち着いた印象の装飾発光を行うことができる。
【００２４】
また、表示画面の一部分をカラー表示し、そのカラー表示部分にマークや絵記号、簡単なアニメーション、アイコン等を表示する場合に、カラー表示部分の周囲や近傍に配置した装飾用発光素子のみを常時消灯して装飾発光を行うことができる。したがって、装飾発光とアイコン等のカラー表示とが混ざり合って視認性に悪影響を与えるということがなくなり、また、装飾発光の動きとアイコン表示の動きとの相乗作用により目立ち過ぎて目障りな印象を与えるということもなくなり、視認性に優れた表示装置を得ることができる。
【００２５】
また、装飾発光部を構成する複数の発光素子に対して個々に発光機能の有無を設定することができるので、アイコンや表示コンテンツに合わせて装飾発光素子の配置構成を任意に細かく調節することができる。
【図面の簡単な説明】
【図１】本発明実施例に関わる表示装置の構成を示すブロック図である。
【図２】表示画面の構成を示す説明図である。
【図３】装飾発光部の構成を示す説明図である。
【図４】装飾発光部の機能切り替え操作を示す説明図である。
【図５】本発明別実施例に関わる装飾発光部の機能切り替え操作を示す説明図である。
１  表示部
１ａ  多色表示部
１ｂ  単色表示部
１ｃ  装飾発光部
１ｃ−１  〜  １ｃ−１４  発光群
２  単色駆動回路
３  アイコン駆動回路
４  装飾駆動回路
５  ＣＰＵ
６  記憶部
７  ＶＲＡＭ
９  赤外線リモコン
【図１】
2004177855.tif 000003
【図２】
2004177855.tif 000004
【図３】
2004177855.tif 000005
【図４】
2004177855.tif 000006
【図５】
2004177855.tif 000007